(57)【要約】【課題】  仏壇の背板近辺のような薄暗い場所に配設された本尊であっても、後光を忠実に表現することが可能な光背およびこれを備える仏壇の提供を目的とする。  【解決手段】  透明な板材により形成され、該板材の表面に彫刻が施された本体部１２と、本体部１２のうち少なくとも一の外周縁に配設され、本体部１２の外周面から厚み内に向けて光を導入する光源が配設された照明部１４を有することを特徴とする光背およびこれを備える仏壇Ｂである。【選択図】        図１
2005296176.tif 000002
【特許請求の範囲】
【請求項１】
透明な板材により形成され、該板材の表面に彫刻が施された本体部と、
本体部のうち少なくとも一の外周縁に配設され、本体部の外周面から厚み内に向けて光を導入する光源が配設された照明部を有することを特徴とする光背。
【請求項２】
前記本体部の彫刻は、前記光源から離反するにつれて当該彫刻の彫り深さが徐々に深くなっていることを特徴とする請求項１記載の光背。
【請求項３】
前記彫刻は、ブラスト加工により形成されていることを特徴とする請求項１または２記載の光背。
【請求項４】
前記彫刻は、溝体により形成されていることを特徴とする請求項１または２記載の光背。
【請求項５】
前記光源は、前記照明部に形成され、前記本体部の外周面に向けて広がるすり鉢状の設置穴の底部に配設されていることを特徴とする請求項１〜４のうちのいずれか一項記載の光背。
【請求項６】
前記照明部は、前記本体部の底部に配設され、本体部を支持する支持部を兼ねることを特徴とする請求項１〜５のうちのいずれか一項記載の光背。
【請求項７】
前記光源は、発光ダイオードであることを特徴とする請求項１〜６のうちのいずれか一項記載の光背。
【請求項８】
請求項１〜７のうちのいずれか一項に記載の光背を備えていることを特徴とする仏壇。
【発明の詳細な説明】
【技術分野】
【０００１】
本発明は、光背およびこれを備える仏壇に関し、より詳細には、照明手段が配設され、光背に施された彫刻を鮮明に表示させることが可能な光背およびこれを備える仏壇に関する。
【背景技術】
【０００２】
日本において広く信仰されている仏教においては、宗派の違いにより崇拝する本尊は異なるものの、仏壇に本尊を配設する点において共通している。仏壇に本尊を配設する際においては、本尊の背後に光背を配設することが多い。一般的に光背は、本尊である仏像と同様に木材を用いて彫刻を施したものや、光背を描いた掛け軸が用いられている。
【非特許文献１】“ご本尊”、“取り扱い仏具一覧”、“仏壇について”[online]、２００４年３月、株式会社滝田商店、[平成１６年３月２９日検索]、インターネット＜ＵＲＬ：http://www.butsudanya.co.jp/list_butsudan-honzon01.html＞
【発明の開示】
【発明が解決しようとする課題】
【０００３】
そもそも光背とは、本尊である仏像の背後からの後光をあらわしたものであるが、本尊は仏壇の背板部分に配設されることが多いため、薄暗くなっていることが多い。したがって、木材に彫刻を施したのみの光背や掛け軸に描かれた光背によっては、本尊の背後からの後光をうまく表現することができないという課題がある。
【０００４】
そこで、本発明は、仏壇の背板近辺に配設された本尊であっても、後光を忠実に表現することが可能な光背およびこれを備える仏壇の提供を目的としている。
【課題を解決するための手段】
【０００５】
本発明は、透明な板材により形成され、該板材の表面に彫刻が施された本体部と、本体部のうち少なくとも一の外周縁に配設され、本体部の外周面から厚み内に向けて光を導入する光源が配設された照明部を有することを特徴とする光背である。
【０００６】
また、前記本体部の彫刻は、前記光源から離反するにつれて当該彫刻の彫り深さが徐々に深くなっていることを特徴とする。
これにより、光源から離れた位置における彫刻部分からであっても、光源付近における彫刻部分と同程度の明るさを呈することが可能になる。
【０００７】
また、前記彫刻は、ブラスト加工により形成されていることを特徴とする。
また、前記彫刻は、溝体により形成されていることを特徴とする。
これらにより、光源により本体部の厚さ方向に導入された光が反射する状態を任意の状態に設定することができる。
【０００８】
また、前記光源は、前記照明部に形成され、前記本体部の外周面に向けて広がるすり鉢状の設置穴の底部に配設されていることを特徴とする。これにより、少ない光源によってでも光背全体に光を照らすことが可能になる。
また、前記照明部は、前記本体部の底部に配設され、本体部を支持する支持部を兼ねることを特徴とする。これにより、本体部の支持部材を別個に準備する必要がなく、コンパクトな光背を提供することができる。
また、前記光源は、発光ダイオードであることを特徴とする。これにより、低電力な光源とすることができるため、電池等の小型電源により作動させることが可能になる。
【０００９】
また、他の発明は、上記のいずれかに記載された光背を備える仏壇である。
これにより、仏壇に載置される本尊の後光を忠実に表現することができると共に、厳かな雰囲気を演出することができる。
【発明の効果】
【００１０】
本発明による光背およびこれを備える仏壇によれば、仏壇の背板部分のような薄暗い場所に配設された本尊であっても、忠実に後光を表現することできる。
また、本尊の背後を幻想的にライトアップすることにより、本尊および仏壇を厳かな雰囲気にすることができる。
【発明を実施するための最良の形態】
【００１１】
以下、添付図面に基づいて本発明の最良の実施の形態を詳細に説明する。図１は、本実施の形態における光背の正面図である。図２は、本体部単体の正面図である。図３は、図２のＡ−Ａ線における断面図である。図４は、照明部単体の平面図である。図５は、図４のＢ−Ｂ線における断面図である。図６は仏壇に光背を配設した状態を示す正面図である。なお、図３と図５においては、特徴をつかみやすくするため、実際のアスペクト比と異なるアスペクト比によって描かれている。
【００１２】
本実施の形態に係る光背１０は、図１に示すように、透明な材料からなる板材に彫刻および着色を施した本体部１２と、本体部１２の下端に配設され、本体部１２を支持する支持台として機能すると共に、本体部１２の厚み内に光を導入する光源であるＬＥＤ１４ａが配設された照明部１４とを有している。
【００１３】
本体部１２は、ガラス板により円弧状の頂部を有する長方形状に形成されている。本体部１２の表面には、菊の花や蔦をあらわす模様が溝体により彫刻されていると共に、中央部分１２ｚがブラスト加工等の表面加工により、摺りガラス状となる彫刻がなされている。本体部１２における溝体およびブラスト加工による彫刻部分以外の部分は、黒色の塗料により着色されている。
【００１４】
本体部１２において彫刻がなされている部分の彫刻溝１２ａの深さは、図３に示すように、照明部１４から離反するにつれて徐々に深くなるように形成されている。本体部１２の厚み内に導入された光は光源から離反するにつれて次第に減衰するが、彫刻溝１２ａの深さが増して本体部１２の厚みが減じることにより、光が本体部１２の面外方向にあらわれやすくなるため、光源１４ａから離れた位置まで光が到達し、好適である。
【００１５】
本体部１２の厚み内に導入された光は、彫刻溝１２ａ内の溝壁から空気中に放光されるので、その溝壁１２ａが彫刻パターンとして浮かび上がる。もちろん、彫刻溝１２ａの内面を凹凸面とすることによって光を乱反射させて彫刻パターンを浮かび上がらせるようにしてもよい。
また、ブラスト加工により摺りガラス状にされた本体部１２の中央部分１２ｚにおいては、ＬＥＤ１４ａから照射された光が乱反射して中央部分１２ｚの全体から淡い光が浮き出す状態になり、本尊（図示せず）を幻想的な光により照らすことができる。
【００１６】
本実施の形態における光背１０の照明部１４は、本体部１２を支持する平板状の支持台を兼ねている。照明部１４は、本体部１２の厚み内に光を導入するＬＥＤ１４ａと、ＬＥＤ１４ａを配設すると共に、ＬＥＤ１４ａからの光を拡散させるための設置穴１４ｂと、本体部１２を支持する支持溝１４ｃが設けられている。
【００１７】
光背１０の光源であるＬＥＤ１４ａは低電力で高輝度に発光し発熱もなく、電球のように球切れの心配がない。これによりメンテナンスフリーの光背１０とすることが可能となるため好都合である。なお、ＬＥＤの色については特に限定されるものではないが、図６に示すように、光背１０が配設されることが多い仏壇Ｂの背板部分におけるコントラストを考慮すると、青色ＬＥＤを用いるのが好適である。
【００１８】
ＬＥＤ１４ａは、照明部（支持台）１４の上面の端縁に沿って所要間隔をあけて配設された設置穴１４ｂの底部に配設されている。設置穴１４ｂは、図４および図５に示すように、下方から上方に向けて徐々に拡径するすり鉢状に形成されている。本実施の形態においては、設置穴１４ｂが均等間隔に配設されているが、本体部１２に施された彫刻の模様によっては必ずしも均等間隔に設置穴１４ｂを配設しなくてもよく、不均等に配設することももちろん可能である。
【００１９】
このように光源であるＬＥＤ１４ａが配設される設置穴１４ｂがすり鉢状に形成されていることにより、ＬＥＤ１４ａ部分からの光は放射状に本体部１２に照射され、本体部１２の厚み内に光を導入することはもちろんのこと、本体部１２の下方から本体部１２の外表面をライトアップさせることも可能になる。
【００２０】
支持台を兼ねた照明部１４には、設置穴１４ｂ、１４ｂのそれぞれの中心を通り照明部１４を横切るように支持溝１４ｃが形成されている。支持溝１４ｃの幅は、本体部１２の幅より若干幅広に形成されているので、本体部１２を設置溝１４ｃに支持させる際は、設置溝１４ｃの上方から本体部１２を差し込むことによりなされる。
なお、図示しないが、支持溝１４ｃにおける設置穴１４ｂ、１４ｂの中間部分の位置に、弾性部材からなる突起物を適宜設置してもよい。本体部１２により突起物を弾性変形させつつ支持溝１４ｃに支持させれば、弾性により突起物が元の状態に復元する力で本体部１２が支持溝１４ｃに押圧される。これにより本体部１２を確実に支持溝１４ｃに支持させることができるため好都合である。
【００２１】
また、本実施の形態における光背１０の照明部１４は、支持台も兼ねているため、本体部１２を支持溝に支持させた状態において、光背１０が安定した状態で設置できるようなカウンターウエイト部分１４ｚを有している。カウンターウエイト部分１４ｚを電池等の電源を収納する部分として利用すれば、電源コード（図示せず）を省略することができる。
さらには、カウンターウエイト部分１４ｚの上には、図示しない本尊が載置されるため、カウンターウエイト部分１４ｚを蓮台とすることももちろん可能である。
【００２２】
以上、本実施の形態における光背について詳細に説明してきたが、本発明にかかる光背は以上の実施の形態に限定されるものではない。
例えば、本体部１２を形成する材料は、透明な板材であればガラス板に限定されるものではなく、アクリル板等の透明な樹脂によるものであっても良い。
また、本実施の形態においては、本体部１２に菊の花や蔦の模様が彫刻されているが、彫刻の模様は家紋や後光をあらわす模様等を彫刻することができるのはいうまでもない。
【００２３】
さらには、本体部１２の彫刻（凹凸）模様は、溝を切削する加工やブラスト加工のみにより形成されるものではなく、プレス加工等により形成したものまで含む概念であることはもちろんである。
さらにまた、照明部１４は、必ずしも支持台を兼ねて本体部１２の下端部のみに配設されるわけではない。本体部１２の支持台を配設しない形態とすることはもちろんのこと、本体部１２の支持台を配設した後に、本体部１２の上端縁や側方端縁に単数又は複数の照明部１４を設置することも可能である。これによれば、光による様々な演出が可能になり、装飾性に富んだ光背を提供することができる。
【図面の簡単な説明】
【００２４】
【図１】本実施の形態における光背の正面図である。
【図２】本体部単体の正面図である。
【図３】図２のＡ−Ａ線における断面図である。
【図４】照明部単体の平面図である。
【図５】図４のＢ−Ｂ線における断面図である。
【図６】仏壇に光背を配設した状態を示す正面図である。
【符号の説明】
【００２５】
１０  光背
１２  本体部
１２ａ  彫刻溝
１２ｚ  中央部
１４  照明部
１４ａ  ＬＥＤ
１４ｂ  設置穴
１４ｃ  支持溝
１４ｚ  カウンターウエイト部分
Ｂ  仏壇
【図３】
2005296176.tif 000003
【図５】
2005296176.tif 000004
【図１】
2005296176.tif 000005
【図２】
2005296176.tif 000006
【図４】
2005296176.tif 000007
【図６】
2005296176.tif 000008